(57)【特許請求の範囲】
【請求項１】
一辺を接するように配置された受領票と配送票とからなる伝票本体と、伝票本体の裏面に擬似接着層を介して接着される基紙と、基紙の裏面に粘着剤を介して接着される剥離紙とからなり、基紙から剥離紙を剥離して配送物品に貼着し、配送先で基紙から受領票を剥離して持ち帰る形式の配送伝票であって、前記受領票の部分の一側を配送票の部分の一側より外方へ突出させ、該突出部における受領票と基紙との間に非接着部分を設けたことを特徴とする配送伝票。
【請求項２】
受領票と配送票を上下方向に配置する伝票本体を上下方向に連続して形成する帯状の伝票原紙と、同じく帯状の基紙原紙との間に熱可塑性樹脂を溶融状態で押し出して積層し、この樹脂が固化する前にこれらを一体として、クーリングロールと円周方向に所定幅の溝部を形成したニップロールで圧着することにより、伝票原紙と基紙原紙との間に前記溝部により形成される帯状の非接着部分と溝部以外の面で形成される擬似接着部分を形成し、次に伝票原紙と擬似接着した基紙原紙の裏面に粘着剤を介して帯状の剥離紙原紙を接着して伝票基材とし、該伝票基材を受領票の一側に非接着部分が位置しそして配送票の同側に非接着部分が入らないような伝票本体の輪郭形状で打ち抜き且つ伝票本体の受領票と配送票との間を基紙原紙まで達しない深さでカットすることを特徴とする配送伝票の製造方法。
【発明の詳細な説明】
【０００１】
【発明の属する技術分野】
本発明は、配送物品に貼着して使用される配送伝票に関する。
【０００２】
【従来の技術】
配送物品に貼着して使用される配送伝票として、一辺を接するように配置された受領票７と配送票８とからなる伝票本体２と、伝票本体２の裏面に擬似接着層３を介して接着される基紙４と、基紙４の裏面に粘着剤５を介して接着される剥離紙６とからなり、基紙４から剥離紙６を剥離して配送物品に貼着し、配送先で基紙４から受領票７を剥離して持ち帰る形式の配送伝票１が知られている（図４）。
【０００３】
この配送伝票１は基紙４からの受領票７の剥離を容易にするために、受領票７の一側と基紙４との間に非接着部分１１が設けられているが、また剥離する必要のない配送標８と基紙４との間にも非接着部分１１が設けられた状態となっている。これは、従来行われている上記の配送伝票１の製造方法にその一因がある。
【０００４】
即ち、上記配送伝票１は、受領票７と配送票８を上下方向に配置する伝票本体２を上下方向に連続して形成する帯状の伝票原紙１２と，同じく基紙４となる帯状の基紙原紙１３との間に熱可塑性樹脂１６を溶融状態で押し出して積層し、この樹脂１６が固化する前にこれらを一体として、クーリングロール１７と円周方向に所定幅の溝部１８を形成したニップロール１９で圧着することにより（図５、図６）、伝票原紙１２と基紙原紙１３との間に、前記溝部１８により形成される帯状の非接着部分２０と溝部１８以外の面で形成される擬似接着部分を形成し、伝票原紙１２と擬似接着した基紙原紙１３の裏面に粘着剤５を介して帯状の剥離紙原紙１４を接着して伝票基材１５とした後、受領票７の一側に非接着部分２０（１１）が位置するように伝票本体２を該伝票基材１５から輪郭２２で打ち抜き、且つ伝票本体２の受領票７と配送票８との間を基紙４まで達しない深さまでカット９して製造されている（図７）。
【０００５】
このとき、伝票本体２を構成する受領票７と配送票８は両者の側辺が一直線となっている既成概念によってその輪郭２２が決定されていたため、前記受領票７の一側に非接着部分２０（１１）が位置することは必然的に配送票８の一側にも非接着部分２０（１１）が位置することになる。
【０００６】
【発明が解決しようとする課題】
このように上記従来の配送伝票１は、剥離される受領票７だけでなく、本来剥れては困る配送票８にまで基紙４との間に非接着部分１１が存在することになる。このため、配送伝票１を貼着した配送物品の輸送中、配送伝票１と他の物品との擦れ等により、前記非接着部分１１が糸口となって配送票８が基紙４から捲れ上り剥れてしまうことがある。受領票７にあっては、いずれ剥すものであるから、多少剥れが生じてもそれほど問題にはならないが、本来剥れては困る配送票８が剥れ、仮に脱落でもしたりすると配送作業に大きな支障を来すおそれもある。
【０００７】
本発明の目的は、配送票を基紙から剥れ難くした配送伝票及びその製造方法を提供するものである。
【０００８】
【課題を解決するための手段】
請求項１記載の配送伝票は、一辺を接するように配置された受領票と配送票とからなる伝票本体と、伝票本体の裏面に擬似接着層を介して接着される基紙と、基紙の裏面に粘着剤を介して接着される剥離紙とからなり、基紙から剥離紙を剥離して配送物品に貼着し、配送先で基紙から受領票を剥離して持ち帰る形式の配送伝票であって、前記受領票の部分の一側を配送票の部分の一側より外方へ突出させ、該突出部における受領票と基紙との間に非接着部分を設けたことを特徴とする。
【０００９】
かかる構成から、配送票には基紙との間に非接着部分が無いので、配送伝票を貼着した配送物品の輸送中、配送伝票と他の物品との間に擦れが生じても基紙からの配送票の剥れが防止される。また、受領票にあっては、その剥離の糸口となる基紙との非接着部分が配送票の一側より外側へ突出しているので、剥離部分が一目で判り、受領票の剥離が容易に行える。
【００１０】
請求項２記載の配送伝票の製造方法は、受領票と配送票を上下方向に配置する伝票本体を上下方向に連続して形成する帯状の伝票原紙と、同じく帯状の基紙原紙との間に熱可塑性樹脂を溶融状態で押し出して積層し、この樹脂が固化する前にこれらを一体として、クーリングロールと円周方向に所定幅の溝部を形成したニップロールで圧着することにより、伝票原紙と基紙原紙との間に前記溝部により形成される帯状の非接着部分と溝部以外の面で形成される擬似接着部分を形成し、次に伝票原紙と擬似接着した基紙原紙の裏面に粘着剤を介して帯状の剥離紙原紙を接着して伝票基材とし、該伝票基材を受領票の一側に非接着部分が位置しそして配送票の同側に非接着部分が入らないような伝票本体の輪郭形状で打ち抜き且つ伝票本体の受領票と配送票との間を基紙に達しない深さまでカットすることを特徴とする。
【００１１】
かかる構成から配送伝票の製造にあたり、伝票基材から配送伝票となる部分を打ち抜くための打抜き刃の形状を僅かに変更するだけで製造することができる。
【００１２】
【発明の実施の形態】
図１、図２は本発明に係る配送伝票の実施の形態の一例を示すものである。同図において、１は配送伝票であり、この配送伝票１は伝票本体２と伝票本体２の裏面に擬似接着層３を介して接着される基紙４と、基紙４の裏面に粘着剤５を介して接着される剥離紙６とから構成されている。
【００１３】
前記伝票本体２は、受領票７と配送票８とが上下辺を接するように配置されて構成され、受領票７と配送票８との間は基紙４に達しない深さまでカットされている。９はカット線である。前記受領票７と配送票８にあっては、受領票７の一側が配送票８の一側より外方に突出している。即ち、受領票７は配送票８よりその突出分だけ横方向に長いものとなっている。そして受領票７の前記突出部１０と前記基紙４との間に非接着部分１１（図上斜線部分）が設けられている。
【００１４】
上記配送伝票１は、剥離紙６を剥して配送物品に貼着され、配送先で基紙４から受領票７を剥し、受領印をもらって持ち帰るようにして使用される。配送先で基紙４から受領票７を剥す際に、その一側に基紙４との間に非接着部分１１が設けられているので、受領票７の同部を摘むことにより容易に剥すことができる。また同部は配送票８の一側より外方へ突出しているので剥離部分が一目で判り、受領票７の剥離が容易に行える。一方、配送票８にあっては、その全面が基紙４と擬似接着しており、非接着部分が無いので、配送物品の輸送中、他の物品との間に擦れが生じても基紙４から容易に剥離するおそれはない。
【００１５】
次に上記配送伝票１の製造方法の一例を説明する。
先ず、受領票７と配送票８を上下方向に配置する伝票本体２を上下方向に連続して形成する帯状の伝票原紙１２と、同じく後に基紙４となる帯状の基紙原紙１３との間にサンドイッチラミネーションにより熱可塑性樹脂を溶融状態で押し出して、伝票原紙１２と基紙原紙１３を擬似接着する擬似接着層３を形成し、伝票原紙１２と基紙原紙１３を擬似接着する。
【００１６】
この擬似接着層３の形成にあっては、公知手段（特開平９−２９０４５２）により行われる。上記伝票原紙１２と基紙原紙１３を擬似接着する工程は従来の製造工程と同じであり、図５、図６を援用してその詳細を説明する。
【００１７】
伝票原紙１２と基紙原紙１３との間に熱可塑性樹脂１６を溶融状態で押し出して積層し、この樹脂１６が固化する前に、これを一体としてクーリングロール１７と円周方向に前記受領票７の突出部１０の突出幅に応じた幅の溝部１８を形成したニップロール１９により擬似接着可能な圧力で圧着する。これにより、伝票原紙１２と基紙原紙１３は、前記溝部１８により加圧から外れて形成される帯状の非接着部分２０以外の部分が全て擬似接着層３により擬似接着される。次に、基紙原紙１３の裏面に粘着剤５を介して剥離紙原紙１４を接着して伝票基材１５が形成される。これまでの製造工程はこの種の配送伝票を製造する前記した従来の製造工程と同じである。
【００１８】
このようにして形成された帯状の伝票基材１５を、受領票７の一側を形成する突出部１０に非接着部分２０（１１）が位置しそして配送票８の同側に非接着部分２０（１１）が入らないような輪郭形状で打ち抜き、且つ伝票本体２の受領票７と配送票８との間を基紙４に達しない深さまでカットし、配送伝票１を形成する。２１は伝票基材１５を打ち抜く伝票本体２の輪郭線である。
【００１９】
かかる製造方法によれば、配送伝票１の製造にあたり、従来の製造工程で、伝票基材１５から配送伝票１となる部分を打ち抜く打抜き刃の形状を僅かに変更するだけで製造することができる。
【００２０】
【発明の効果】
以上のように本発明に係る配送伝票は、配送票部分において基紙との間に非接着部分が無いので、配送伝票を貼着した配送物品の輸送中、配送伝票と他の物品との間に擦れが生じても基紙からの配送票の剥れを防止することができ、また、受領票にあっては、その剥離の糸口となる基紙との非接着部分が配送票の一側より外側へ突出しているので、剥離部分が一目で判り、受領票の剥離を容易に行うことができる。また、本発明に係る配送伝票の製造にあっては、伝票基材から配送伝票となる部分を打ち抜く打抜き刃の形状を僅かに変更するだけで製造することができる。
【図面の簡単な説明】
【図１】本発明に係る配送伝票の実施の形態の一例を示す平面図。
【図２】図１のＡ−Ａ線断面図。
【図３】本発明に係る配送伝票の製造方法の一工程を示す説明図。
【図４】従来の配送伝票を示す平面図。
【図５】伝票原紙と基紙原紙を擬似接着する工程を示す説明図。
【図６】ニップロールとクーリングロールを示す模式図。
【図７】従来の配送伝票の製造方法の一工程を示す説明図。
【符号の説明】
１          配送伝票
２          伝票本体
３          擬似接着層
４          基紙
５          粘着剤
６          剥離紙
７          受領票
８          配送票
９          カット線
１０        突出部
１１        非接着部分
１２        伝票原紙
１３        基紙原紙
１４        剥離紙原紙
１５        伝票基材
１６        熱可塑性樹脂
１７        クーリングロール
１８        溝部
１９        ニップロール
２０        帯状の非接着部分
２１        伝票本体の輪郭線
２２        伝票本体の輪郭線
【図１】
0003847941.tif 000002
【図２】
0003847941.tif 000003
【図３】
0003847941.tif 000004
【図４】
0003847941.tif 000005
【図５】
0003847941.tif 000006
【図６】
0003847941.tif 000007
【図７】
0003847941.tif 000008